(57)【要約】      （修正有）【課題】人感センサに反応したときだけ画像データを撮像して送信・記録する撮像装置において、人感センサでは検知できない不慮の事態にも対応できるようにする撮像装置を提供する。【解決手段】撮像装置は、設置場所の所定範囲を画像データとして撮像し、当該画像データの外部への送信、及び／又は、当該画像データの記録を行う撮像手段と、撮像手段近傍に設けられる人感センサと、撮像手段を制御する制御装置とを有する。制御装置は、所定時間、人感センサが人気を検知しなかった場合にｓ１０５、撮像を行うようにｓ１０６撮像手段を制御するよう構成する。【選択図】図３
0003187033.tif 000002
【実用新案登録請求の範囲】
【請求項１】
設置場所の所定範囲を画像データとして撮像し、当該画像データの外部への送信、及び／又は、当該画像データの記録を行う撮像手段と、
前記撮像手段近傍に設けられる人感センサと、
前記撮像手段を制御する制御装置とを有し、
前記制御装置は、所定時間、前記人感センサが人気を検知しなかった場合に、撮像を行うように前記撮像手段を制御するものである
撮像装置。
【考案の詳細な説明】
【技術分野】
【０００１】
本考案は、画像を撮像し、撮像した画像データの離れた場所への送信や記録を行う撮像装置に関する。
【背景技術】
【０００２】
近年、インターネットの普及により簡易にデータを送信できることから、特定の場所に設置したカメラの映像を離れた場所から見るための撮像装置が防犯のための監視、工場や店舗内のモニタリング、病人や要介護老人の見守りなど種々の場所で広く用いられている。
これらの撮像装置には、撮影範囲を人感センサで検知し、人を検知したときだけ撮像を行うものがある。このように人を検知したときだけ撮像を行うことで、消費電力を節約し、無駄な画像データを減少させることができる。
【考案の概要】
【考案が解決しようとする課題】
【０００３】
しかしながら、例えば病人を見守っているときに、病人が長時間動かない場合、何か異常が発生していることが考えられるが、人感センサで人気を検知したときだけ撮像を行うようにしているとこのような異常を察知することができない場合がある。
本考案は、このような問題に鑑みて、人感センサに反応したときだけ画像データを撮像して送信・記録する撮像装置において、人感センサでは検知できない不慮の事態にも対応できるようにすることを課題とする。
【課題を解決するための手段】
【０００４】
上記課題を解決するために、本考案は次のような構成を有する。即ち、設置場所の所定範囲を画像データとして撮像し、当該画像データの外部への送信、及び／又は、当該画像データの記録を行う撮像手段と、前記撮像手段近傍に設けられる人感センサと、前記撮像手段を制御する制御装置とを有する撮像装置において、前記制御装置は、所定時間、前記人感センサが人気を検知しなかった場合に、撮像を行うように前記撮像手段を制御するよう構成したものである。
【考案の効果】
【０００５】
以上のような構成により、本考案に係る撮像装置は、人感センサが人気を検知しない状態が長く続いたときに、自動的に所定範囲を撮像して、画像データを送信したり録画したりするので、人が倒れて動かない状態だったり、火事が発生していたりした場合等の、人感センサで検知できない状況が発生しているときでも一定時間内にこれを知ることができる。
【図面の簡単な説明】
【０００６】
【図１】実施形態に係る撮像装置の斜視図である。
【図２】実施形態に係る撮像装置のブロック図である。
【図３】実施形態に係る撮像装置の動作を示すフローチャートである。
【考案を実施するための形態】
【０００７】
以下、本考案の実施の形態について、図面を参照しながら説明する。
図１に本実施形態に係る撮像装置Ｘの斜視図を示す。撮像装置Ｘは透明なフード１１が設けられた筐体１０内にカメラモーターにより水平軸及び垂直軸の２軸に回動可能に固定されるデジタルカメラ２０を内蔵したものである。筐体１０の前面には人感センサ３０が固定されている。ここで用いられる人感センサ３０は、赤外線を照射して照射範囲の温度を検知し、検知範囲内で周囲温度と温度差のあるものの動きに基づいて、人気の有無を検知するものである。なお、人感センサ３０は他の方式により人気を検知するものを採用してもよい。また、筐体１０内部には図示しない制御装置および通信装置が内蔵される。通信装置は筐体１０に設けられたＷｉｆｉアンテナ５１を介してインターネットに接続され、データの送受信ができるようになっている。また、筐体１０にはメモリーカードを記録媒体とする記録メディアドライブ４０が設けられ、メモリーカードに画像データを記録できるようになっている。
【０００８】
図２に撮像装置Ｘの構成を模式的に表すブロック図を示す。図に示すように制御装置６０は、演算処理を行うCPU、CPUの作業領域となるRAM、プログラムを記憶するROM、同期信号を発生するクロック等からなるいわゆるマイコンにより構成される。制御装置６０は外部インターフェースを通じて、デジタルカメラ２０、カメラモーター２５、人感センサ３０、記録メディアドライブ４０、ネットワークインターフェース５５を介してWifi通信ユニット５０に接続され、これらをプログラムによって制御している。
【０００９】
次に、以上のような構成を有する撮像装置Ｘの動作について説明する。図３に撮像装置Ｘの動作を表すフローチャートを示す。まず、撮像装置Ｘの電源を投入すると、待機状態となる。待機状態では、制御装置６０は人感センサ３０が人気を検知したかどうかを判断し（ｓ１０１）、人感センサ３０が人気を検知した場合は、デジタルカメラ２０を作動させ、動画を撮像し（ｓ１０２）、動画の画像データとして記録メディアに記録する（ｓ１０３）。動画の撮像と記録は、人感センサ３０が人気を検知しなくなるまで継続して行われ（ｓ１０４）、人感センサ３０が人気を検知しなくなれば、デジタルカメラ２０を停止し、待機状態に戻る。ｓ１０１で人感センサが反応していない場合は、最後の待機状態の開始から予め設定した時間が経過しているかどうかを判断し（ｓ１０５）、時間が経過していない場合は待機状態を維持する。なお、設定する時間は任意に設定できるものであり、ここでは１時間に設定されるものとする。ｓ１０５で設定した時間が経過している場合は、制御装置６０はデジタルカメラ２０を作動させて、静止画像を撮像し（ｓ１０６）、撮像した静止画の画像データを添付した電子メールをインターネットを通じて所定のメールアドレスに送信する（ｓ１０７）。その後、再び待機状態に戻り、ｓ１０１以下の動作を繰り返す。
このように本実施形態に係る撮像装置Ｘは、人感センサ３０に基づく撮像に加えて、一定時間経過ごとに静止画を撮像して送信するので、人感センサ３０では検知できない不測の事態が起こった場合でも、撮像範囲に変化があれば静止画によってこれを捕捉することができる。
【００１０】
なお、上記実施形態では直近の待機状態の開始から一定時間経過ごとに画像データを撮像しているが、一定時刻ごとに画像データを撮像するようにしてもよい。また、上記実施形態では時間経過ごとに撮像する画像は静止画であるが、これを一定時間の動画としてもよい。また、静止画を撮像する場合、カメラの向きを変えながら複数の静止画を撮像して複数の画像データを送信するようにしてもよい。それから、上記実施形態ではＷｉｆｉを用いて無線でインターネットと接続しているがＬＡＮケーブルを介して有線で接続するようにしてもよい。
【符号の説明】
【００１１】
Ｘ  撮像装置
１０  筐体
２０  デジタルカメラ
３０  人感センサ
４０  記録メディアドライブ
５５  ネットワークインターフェース
５０  Wifi通信ユニット
６０  制御装置
【図１】
0003187033.tif 000003
【図２】
0003187033.tif 000004
【図３】
0003187033.tif 000005